(57)【特許請求の範囲】
【請求項１】
移動局であって、
無線ベアラを介して無線基地局に対して送信されるデータフローに割り当てられているフロー優先度を管理するように構成されているベアラ管理部と、
前記無線ベアラを介して前記無線基地局に対して送信されるデータフローに対する優先制御を行うように構成されている優先制御部とを具備しており、
前記ベアラ管理部は、前記無線基地局との間で、前記フロー優先度の各々に対応する無線ベアラを確立するように構成されており、
前記優先制御部は、前記無線ベアラを介して前記無線基地局に対して送信されるデータフローを、該データフローに割り当てられているフロー優先度に対応する無線ベアラに転送するように構成されていることを特徴とする移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式では、ＱＣＩ（ＱｏＳ  Ｃｌａｓｓ  Ｉｄｅｎｔｉｆｉｅｒ）ごとにベアラ（ＬＣＨ：Ｌｏｇｉｃａｌ  Ｃｈａｎｎｅｌ）を確立し、ベアラごとに優先度（Ｌｏｇｉｃａｌ  Ｃｈａｎｎｅｌ  Ｐｒｉｏｒｉｔｙ）付けを行った上で優先制御を行うように構成されている。
【０００３】
ここで、同一ベアラ内のデータについては、同一優先度と見なされる。また、かかる優先制御は、無線基地局ｅＮＢ及び移動局ＵＥの双方で行われている。
【０００４】
また、ＬＴＥ方式では、無線アクセスネットワークにおいて、ＭＡＣレイヤによって優先制御が行われるように構成されている。例えば、図７に示すように、無線基地局ｅＮＢのＭＡＣレイヤは、ベアラごとに割り当てられている優先度に基づいて、無線ベアラに送出するデータの順番を決定するように構成されている。
【０００５】
一方、ＬＴＥ方式のＲｅｌｅａｓｅ-１２では、「ＵＰＣＯＮ（Ｕ-Ｐｌａｎｅ  Ｃｏｎｇｅｓｔｉｏｎ  Ｍａｎａｇｅｍｅｎｔ）  ＷＩ（Ｗｏｒｋｉｎｇ  Ｉｔｅｍ）」において、Ｕ-ｐｌａｎｅ信号による無線アクセスネットワーク側の輻輳の回避について検討されている。
【０００６】
最近は、同じウェブブラウザのサービスであっても、文字や画像や動画やストリーミング等が混在している。
【０００７】
このような状況下で、無線アクセスネットワーク側において輻輳が発生している場合、例えば、ストリーミング、文字、画像、動画という順番で送信したい。
【０００８】
現状では、ＱｏＳ（Ｑｕａｌｉｔｙ  ｏｆ  Ｓｅｒｖｉｃｅ）制御を行うために、ＱＣＩを用いてＥＰＳ（Ｅｎｈａｎｃｅｄ  Ｐａｃｋｅｔ  Ｓｙｓｔｅｍ）ベアラにおける優先制御を行っている。
【０００９】
「ＵＰＣＯＮ  ＷＩ」では、ＱＣＩに加えて、より細かい優先制御を行うために、データフロー（ＩＰフロー）ごとの優先度としての「ＦＰＩ（Ｆｌｏｗ  Ｐｒｉｏｒｉｔｙ  Ｉｎｄｉｃａｔｏｒ）」を定義し、無銭基地局ｅＮＢ（のスケジューラ）が、かかるＦＰＩによってＱｏＳ制御及び優先制御を行うための解決手段について議論されている。
【先行技術文献】
【非特許文献】
【００１０】
【非特許文献１】３ＧＰＰ寄書  Ｓ２-１３００６０
【発明の概要】
【発明が解決しようとする課題】
【００１１】
しかしながら、現在のＬＴＥ方式における無線アクセスネットワークの構成では、無線基地局ｅＮＢ及び移動局ＵＥの両方が、ＦＰＩを考慮していないため、図８に示すように、かかるＦＰＩを用いて優先制御を行うことができないという問題点があった。
【００１２】
そこで、本発明は、上述の課題に鑑みてなされたものであり、ＦＰＩを用いて優先制御を行うことができる無線基地局及び移動局を提供することを目的とする。
【課題を解決するための手段】
【００１３】
本発明の第１の特徴は、無線基地局であって、Ｓ１ベアラを介してコアネットワーク装置から受信するデータフローに割り当てられているフロー優先度を管理するように構成されているベアラ管理部と、前記Ｓ１ベアラを介して前記コアネットワーク装置から受信したデータフローに対する優先制御を行うように構成されている優先制御部とを具備しており、前記ベアラ管理部は、移動局との間で、前記フロー優先度の各々に対応する無線ベアラを確立するように構成されており、前記優先制御部は、前記Ｓ１ベアラを介して前記コアネットワーク装置から受信したデータフローを、該データフローに割り当てられているフロー優先度に対応する無線ベアラに転送するように構成されていることを要旨とする。
【００１４】
本発明の第２の特徴は、移動局であって、無線ベアラを介して無線基地局に対して送信されるデータフローに割り当てられているフロー優先度を管理するように構成されているベアラ管理部と、前記無線ベアラを介して前記無線基地局に対して送信されるデータフローに対する優先制御を行うように構成されている優先制御部とを具備しており、前記ベアラ管理部は、前記無線基地局との間で、前記フロー優先度の各々に対応する無線ベアラを確立するように構成されており、前記優先制御部は、前記無線ベアラを介して前記無線基地局に対して送信されるデータフローを、該データフローに割り当てられているフロー優先度に対応する無線ベアラに転送するように構成されていることを要旨とする。
【００１５】
本発明の第３の特徴は、無線基地局であって、ＰＤＣＰレイヤにおいて、コアネットワーク装置から受信したデータフローに対する優先制御を行うように構成されている優先制御部を具備しており、前記優先制御部は、前記コアネットワーク装置から受信するデータフローに割り当てられているフロー優先度と、ＰＤＣＰレイヤにおける優先度とを関連付けて管理するように構成されており、前記優先制御部は、前記コアネットワーク装置から受信したデータフローに割り当てられているフロー優先度に関連付けられているＰＤＣＰレイヤにおける優先度に基づいて、該データフローに対する優先制御を行うように構成されていることを要旨とする。
【００１６】
本発明の第４の特徴は、移動局であって、ＰＤＣＰレイヤにおいて、無線基地局に対して送信するデータフローに対する優先制御を行うように構成されている優先制御部を具備しており、前記優先制御部は、前記無線基地局に対して送信するデータフローに割り当てられているフロー優先度に関連付けられているＰＤＣＰレイヤにおける優先度に基づいて、該データフローに対する優先制御を行うように構成されていることを要旨とする。
【００１７】
本発明の第５の特徴は、移動局であって、無線基地局ｅＮＢに対して、データフローに割り当てられるフロー優先度に関する能力を通知するように構成されている送信部を具備することを要旨とする。
【発明の効果】
【００１８】
以上説明したように、本発明によれば、ＦＰＩを用いて優先制御を行うことができる無線基地局及び移動局を提供することができる。
【図面の簡単な説明】
【００１９】
【図１】本発明の第１の実施形態に係る移動通信システムの全体構成図である。
【図２】本発明の第１の実施形態に係る無線基地局ｅＮＢの機能ブロック図である。
【図３】本発明の第１の実施形態に係る移動局ＵＥの機能ブロック図である。
【図４】本発明の第１の実施形態に係る移動通信システムの動作を説明するためのシーケンス図である。
【図５】本発明の第２の実施形態に係る移動通信システムの全体構成図である。
【図６】本発明の第２の実施形態に係る無線基地局及び移動局の動作を説明するためのフローチャートである。
【図７】従来技術を説明するための図である。
【図８】従来技術を説明するための図である。
【発明を実施するための形態】
【００２０】
（本発明の第１の実施形態に係る移動通信システム）
図１乃至図４を参照して、本発明の第１の実施形態に係る移動通信システムについて説明する。
【００２１】
図１に示すように、本実施形態に係る移動通信システムは、コアネットワーク装置Ｐ-ＧＷと、コアネットワーク装置Ｓ-ＧＷと、無線基地局ｅＮＢと、移動局ＵＥとを具備している。
【００２２】
本実施形態に係る移動通信システムでは、各Ｓ１ベアラは、ＱＣＩごとに確立されるように構成されており、各無線ベアラは、同一ＱＣＩのＳ１ベアラを介して送信され得るデータフローに割り当てられるＦＰＩ＃Ｘ〜＃Ｚごとに確立されるように構成されている。
【００２３】
図１に示すように、本実施形態に係る移動通信システムにおいて、各ＥＰＳベアラは、複数の無線ベアラと、１つのＳ１ベアラと、１つのＳ５/Ｓ８ベアラとによって構成されている。
【００２４】
また、本実施形態に係る移動通信システムにおいて、各Ｅ-ＲＡＢは、複数の無線ベアラと、１つのＳ１ベアラとによって構成されている。
【００２５】
ここで、無線ベアラは、移動局ＵＥと無線基地局ｅＮＢとの間で確立されるように構成されており、Ｓ１ベアラは、無線基地局ｅＮＢとゲートウェイ装置Ｓ-ＧＷとの間で確立されるように構成されており、Ｓ５/Ｓ８ベアラは、ゲートウェイ装置Ｓ-ＧＷとゲートウェイ装置Ｐ-ＧＷとの間で確立されるように構成されている。
【００２６】
図２に示すように、本実施形態に係る無線基地局ｅＮＢは、受信部１１と、ベアラ管理部１２と、優先制御部１３と、送信部１４とを具備している。
【００２７】
受信部１１は、移動局ＵＥやコアネットワーク装置Ｓ-ＧＷから各種信号を受信するように構成されている。
【００２８】
ベアラ管理部１２は、上述の無線ベアラやＳ１ベアラについて管理するように構成されている。
【００２９】
例えば、ベアラ管理部１２は、各Ｓ１ベアラに割り当てられているＱＣＩや、各Ｓ１ベアラを介してコアネットワーク装置Ｓ-ＧＷから受信する各データフローに割り当てられているＦＰＩを管理するように構成されている。
【００３０】
また、ベアラ管理部１２は、コアネットワーク装置Ｓ-ＧＷとの間で、各ＱＣＩに対応するＳ１ベアラを確立するように構成されており、移動局ＵＥとの間で、各ＦＰＩに対応する１つ又は複数の無線ベアラを確立するように構成されている。
【００３１】
優先制御部１３は、Ｓ１ベアラを介してコアネットワーク装置Ｓ-ＧＷから受信したデータフローに対する優先制御を行うように構成されている。
【００３２】
例えば、優先制御部１３は、Ｓ１ベアラを介してコアネットワーク装置Ｓ-ＧＷから受信したデータフローを、かかるデータフローに割り当てられているＦＰＩに対応する無線ベアラに転送するように構成されている。
【００３３】
送信部１４は、移動局ＵＥやコアネットワーク装置Ｓ-ＧＷに対して各種信号を送信するように構成されている。
【００３４】
例えば、送信部１４は、各無線ベアラを介して優先制御部１３によって転送されたデータフローを移動局ＵＥに対して送信するように構成されている。
【００３５】
図３に示すように、本実施形態に係る移動局ＵＥは、ベアラ管理部２１と、優先制御部２２と、送信部２３とを具備している。
【００３６】
ベアラ管理部２１は、上述の無線ベアラについて管理するように構成されている。
【００３７】
例えば、ベアラ管理部２１は、各無線ベアラを介して無線基地局ｅＮＢに対して送信されるデータフローに割り当てられているＦＰＩを管理するように構成されている。
【００３８】
また、ベアラ管理部２１は、無線基地局ｅＮＢとの間で、ＦＰＩの各々に対応する無線ベアラを確立するように構成されている。
【００３９】
優先制御部２２は、各無線ベアラを介して無線基地局ｅＮＢに対して送信されるデータフローに対する優先制御を行うように構成されている。
【００４０】
例えば、優先制御部２２は、無線ベアラを介して無線基地局ｅＮＢに対して送信されるデータフローを、かかるデータフローに割り当てられているＦＰＩに対応する無線ベアラに転送するように構成されている。
【００４１】
送信部２３は、移動局ＵＥやコアネットワーク装置Ｓ-ＧＷに対して各種信号を送信するように構成されている。
【００４２】
例えば、送信部２３は、各無線ベアラを介して優先制御部２２によって転送されたデータフローを無線基地局ｅＮＢに対して送信するように構成されている。
【００４３】
以下、図４を参照して、本実施形態に係る移動通信システムの動作について説明する。
【００４４】
図４に示すように、無線基地局ｅＮＢは、ステップＳ１０００において、新しい無線ベアラの設定トリガ（或いは、既存の無線ベアラのＦＰＩが変更されたこと）を検出すると、ステップＳ１００１において、移動局ＵＥに対して、ＦＰＩを通知する「ＲＲＣ  ｃｏｎｎｅｃｔｉｏｎ  ｒｅｃｏｎｆｉｇｕｒａｔｉｏｎ」を送信する。
【００４５】
かかる「ＲＲＣ  ｃｏｎｎｅｃｔｉｏｎ  ｒｅｃｏｎｆｉｇｕｒａｔｉｏｎ」に基づいて、かかるＦＰＩに対応する無線ベアラが設定され（或いは、既存の無線ベアラのＦＰＩが変更され）、ステップＳ１００２において、移動局ＵＥが、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００４６】
その後、ステップＳ１００３において、無線基地局ｅＮＢ及び移動局ＵＥは、かかるＦＰＩを用いて優先制御を行う。
【００４７】
（本発明の第２の実施形態に係る移動通信システム）
以下、図５及び図６を参照して、本発明の第２の実施形態に係る移動通信システムについて、上述の第１の実施形態に係る移動通信システムとの相違点に着目して説明する。
【００４８】
本実施形態に係る移動通信システムでは、既存の移動通信システムのベアラ構成と同様に、各Ｓ１ベアラ及び各無線ベアラは、ＱＣＩごとに確立されるように構成されている。
【００４９】
本実施形態に係る無銭基地局ｅＮＢでは、優先制御部１３は、「ＦＰＩ」と「ＤＦＰ（Ｄａｔａ  Ｆｌｏｗ  Ｐｒｉｏｒｉｔｙ）」とを関連付けて管理するように構成されている。ここで、「ＦＰＩ」は、コアネットワーク（移動管理ノードＭＭＥ）から「ＧＴＰ-ｕ  ｈｅａｄｅｒ」内で通知されるように構成されている。
【００５０】
また、優先制御部１３は、ＰＤＣＰレイヤにおいて、コアネットワーク装置Ｓ-ＧＷから受信したデータフローに対する優先制御を行うように構成されている。
【００５１】
例えば、図５に示すように、優先制御部１３は、コアネットワーク装置から受信したデータフローに割り当てられているＦＰＩ＃Ｘ〜＃Ｚに関連付けられているＤＦＰに基づいて、かかるデータフローに対する優先制御を行うように構成されている。
【００５２】
具体的には、ＤＦＰの値が小さいデータフローの方が高い優先度であるとすると、優先制御部１３は、ＰＤＣＰレイヤにおいて、ＤＦＰの値が小さいデータフローを優先して、ＲＬＣ（Ｒａｄｉｏ  Ｌｉｎｋ  Ｃｏｎｔｒｏｌ）レイヤに送出する（或いは、ＰＤＣＰ-ＰＤＵ化する）ように構成されている。
【００５３】
なお、優先制御部１３は、ＦＰＩが割り当てられていないデータフローに対して、デフォルトのＤＦＰに基づいて優先制御を行うように構成されていてもよい。
【００５４】
ここで、優先制御部１３は、ＭＡＣレイヤにおいて、既存のＱＣＩを用いた優先制御についても行うように構成されている。
【００５５】
また、本実施形態に係る無銭基地局ｅＮＢでは、送信部１４は、移動局ＵＥに対して、ＦＰＩとＤＦＰとを関連付けるための情報を通知するように構成されていてもよい。
【００５６】
また、本実施形態に係る移動局ＵＥでは、優先制御部２２は、ＰＤＣＰレイヤにおいて、無線基地局ｅＮＢに対して送信するデータフローに対する優先制御を行うように構成されている。
【００５７】
例えば、優先制御部２２は、無線基地局ｅＮＢに対して送信するデータフローに割り当てられているＦＰＩ＃Ｘ〜＃Ｚに関連付けられているＤＦＰに基づいて、かかるデータフローに対する優先制御を行うように構成されている。
【００５８】
なお、優先制御部２２は、ＦＰＩが割り当てられていないデータフローに対して、デフォルトのＤＦＰに基づいて優先制御を行うように構成されていてもよい。
【００５９】
以下、図６を参照して、本実施形態に係る無線基地局ｅＮＢ及び移動局ＵＥの動作について説明する。
【００６０】
図６に示すように、無線基地局ｅＮＢ及び移動局ＵＥは、ＤＦＰによる優先制御に係る設定が行われているか、すなわち、各ＦＰＩに対応するＤＦＰが設定されているか否かについて判定する。
【００６１】
「ＹＥＳ」の場合、本動作は、ステップＳ１０２に進み、「ＮＯ」の場合、本動作は終了する。
【００６２】
ステップＳ１０２において、無線基地局ｅＮＢ及び移動局ＵＥは、ＰＤＣＰレイヤにおいて、送信すべきデータフローに割り当てられているＦＰＩ＃Ｘ〜＃Ｚに関連付けられているＤＦＰに基づいて、かかるデータフローに対する優先制御を行う。
【００６３】
例えば、無線基地局ｅＮＢ及び移動局ＵＥは、ＰＤＣＰレイヤにおいて、ＤＦＰの値が小さいデータフローを優先して、ＲＬＣレイヤに送出する（或いは、ＰＤＣＰ-ＰＤＵ化する）。
【００６４】
なお、ＰＤＣＰレイヤは、ベアラ毎に破棄タイマを設けており、データのバッファリング時間が所定期間を超過する場合に、かかるデータを破棄しているが、加えて、ＦＰＩ毎に破棄タイマを用意してもよい。これにより、データ破棄に際してより細かい優先度で破棄を行うことが可能である。
【００６５】
（変更例）
上述の第２実施形態に係る移動通信システムにおいて、何個のＤＦＰを設定することができるかは、移動局ＵＥの能力に依存することが想定される。
【００６６】
例えば、搭載可能なメモリ量が少ない移動局ＵＥは、同時に設定することができるＤＦＰ数に制約があることが想定される。
【００６７】
移動局ＵＥの能力以上のＤＦＰを設定する場合には、移動局ＵＥの正常な動作を担保することができない。
【００６８】
したがって、第２実施形態に係る移動局ＵＥにおいて、送信部２３は、無線基地局ｅＮＢに対して、ＤＦＰに関する能力を通知するように構成されている。
【００６９】
例えば、送信部２３は、「ＵＥ  Ｃａｐａｂｉｌｉｔｙ」として、かかるＤＦＰに関する能力を通知するように構成されていてもよい。
【００７０】
ここで、送信部２３は、かかるＤＦＰに関する能力として、移動局ＵＥ内で設定可能なＤＦＰの数、或いは、無線ベアラごとに設定可能なＤＦＰの数を通知するように構成されていてもよい。
【００７１】
例えば、無線基地局ｅＮＢは、かかるＤＦＰに関する能力に応じて、各無線ベアラで設定するＤＦＰの最大数を決定するように構成されていてもよい。かかる場合、無線基地局ｅＮＢが、決定した最大数を、移動局ＵＥに対して送信することで、移動局ＵＥは、適切なメモリ管理を行うことができる。
【００７２】
以上に述べた本実施形態の特徴は、以下のように表現されていてもよい。
【００７３】
本実施形態の第１の特徴は、無線基地局ｅＮＢであって、Ｓ１ベアラを介してコアネットワーク装置Ｓ-ＧＷから受信するデータフローに割り当てられているＦＰＩ（フロー優先度）を管理するように構成されているベアラ管理部１２と、Ｓ１ベアラを介してコアネットワーク装置Ｓ-ＧＷから受信したデータフローに対する優先制御を行うように構成されている優先制御部１３とを具備しており、ベアラ管理部１２は、移動局ＵＥとの間で、ＦＰＩの各々に対応する無線ベアラを確立するように構成されており、優先制御部１３は、Ｓ１ベアラを介してコアネットワーク装置Ｓ-ＧＷから受信したデータフローを、かかるデータフローに割り当てられているＦＰＩに対応する無線ベアラに転送するように構成されていることを要旨とする。
【００７４】
かかる特徴によれば、無線基地局ｅＮＢは、Ｓ１ベアラを介してコアネットワーク装置Ｓ-ＧＷから受信したデータフローを、かかるデータフローに割り当てられているＦＰＩに対応する無線ベアラに転送することで、ＦＰＩを用いた優先制御を実現することができる。
【００７５】
本実施形態の第２の特徴は、移動局ＵＥであって、無線ベアラを介して無線基地局ｅＮＢに対して送信されるデータフローに割り当てられているＦＰＩを管理するように構成されているベアラ管理部２１と、無線ベアラを介して無線基地局ｅＮＢに対して送信されるデータフローに対する優先制御を行うように構成されている優先制御部２２とを具備しており、ベアラ管理部２１は、無線基地局ｅＮＢとの間で、ＦＰＩの各々に対応する無線ベアラを確立するように構成されており、優先制御部２２は、無線ベアラを介して無線基地局ｅＮＢに対して送信されるデータフローを、かかるデータフローに割り当てられているＦＰＩに対応する無線ベアラに転送するように構成されていることを要旨とする。
【００７６】
かかる特徴によれば、移動局ＵＥは、無線ベアラを介して無線基地局ｅＮＢに対して送信すべきデータフローを、かかるデータフローに割り当てられているＦＰＩに対応する無線ベアラに転送することで、ＦＰＩを用いた優先制御を実現することができる。
【００７７】
本実施形態の第３の特徴は、無線基地局ｅＮＢであって、ＰＤＣＰレイヤにおいて、コアネットワーク装置Ｓ-ＧＷから受信したデータフローに対する優先制御を行うように構成されている優先制御部１３を具備しており、優先制御部１３は、ＦＰＩとＤＦＰ（ＰＤＣＰレイヤにおける優先度）とを関連付けて管理するように構成されており、優先制御部１３は、コアネットワーク装置から受信したデータフローに割り当てられているＦＰＩに関連付けられているＤＦＰに基づいて、かかるデータフローに対する優先制御を行うように構成されていることを要旨とする。
【００７８】
かかる特徴によれば、無線基地局ｅＮＢは、ＰＤＣＰレイヤにおいて、ＦＰＩに対応するＤＦＰに基づいて優先制御を行うことで、ＦＰＩを用いた優先制御を実現することができる。
【００７９】
本実施形態の第３の特徴において、優先制御部１３は、ＦＰＩが割り当てられていないデータフローに対して、デフォルトのＤＦＰ（所定のＰＤＣＰレイヤにおける優先度）に基づいて優先制御を行うように構成されていてもよい。
【００８０】
かかる特徴によれば、無線基地局ｅＮＢは、ＦＰＩが割り当てられていないデータフローに対しても適切に優先制御を行うことができる。
【００８１】
本実施形態の第３の特徴において、移動局ＵＥに対して、ＦＰＩとＤＦＰとを関連付けるための情報を通知するように構成されている送信部１４を具備してもよい。
【００８２】
かかる特徴によれば、移動局ＵＥと無線基地局ｅＮＢとの間で、ＦＰＩとＤＦＰとのマッピングのズレが発生するという事態を回避することができる。
【００８３】
本実施形態の第４の特徴は、移動局ＵＥであって、ＰＤＣＰレイヤにおいて、無線基地局ｅＮＢに対して送信するデータフローに対する優先制御を行うように構成されている優先制御部２２を具備しており、優先制御部２２は、無線基地局ｅＮＢに対して送信するデータフローに割り当てられているＦＰＩに関連付けられているＤＦＰに基づいて、かかるデータフローに対する優先制御を行うように構成されていることを要旨とする。
【００８４】
かかる特徴によれば、移動局ＵＥは、ＰＤＣＰレイヤにおいて、ＦＰＩに対応するＤＦＰに基づいて優先制御を行うことで、ＦＰＩを用いた優先制御を実現することができる。
【００８５】
本実施形態の第４の特徴において、優先制御部２２は、ＦＰＩが割り当てられていないデータフローに対して、デフォルトのＤＦＰに基づいて優先制御を行うように構成されていてもよい。
【００８６】
かかる特徴によれば、移動局ＵＥは、ＦＰＩが割り当てられていないデータフローに対しても適切に優先制御を行うことができる。
【００８７】
本実施形態の第５の特徴は、移動局であって、無線基地局ｅＮＢに対して、ＤＦＰに関する能力（データフローに割り当てられるフロー優先度に関する能力）を通知するように構成されている送信部２３を具備することを要旨とする。
【００８８】
本実施形態の第５の特徴において、かかるＤＦＰに関する能力は、移動局ＵＥ内で設定可能なＤＦＰの数、或いは、無線ベアラごとに設定可能なＤＦＰの数であってもよい。
【００８９】
なお、上述の移動局ＵＥや無線基地局ｅＮＢやコアネットワーク装置Ｓ-ＧＷ/Ｐ-ＧＷの動作は、ハードウェアによって実施されてもよいし、プロセッサによって実行されるソフトウェアモジュールによって実施されてもよいし、両者の組み合わせによって実施されてもよい。
【００９０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢやコアネットワーク装置Ｓ-ＧＷ/Ｐ-ＧＷ内に設けられていてもよい。また、かかる記憶媒体及びプロセッサは、ディスクリートコンポーネントとして移動局ＵＥや無線基地局ｅＮＢやコアネットワーク装置Ｓ-ＧＷ/Ｐ-ＧＷ内に設けられていてもよい。
【００９２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９３】
ｅＮＢ…無線基地局
ＵＥ…移動局
１１…受信部
１２、２１…ベアラ管理部
１３、２２…優先制御部
１４、２３…送信部
【図１】
0006438553.tif 000002
【図２】
0006438553.tif 000003
【図３】
0006438553.tif 000004
【図４】
0006438553.tif 000005
【図５】
0006438553.tif 000006
【図６】
0006438553.tif 000007
【図７】
0006438553.tif 000008
【図８】
0006438553.tif 000009